(57)【要約】【課題】画像や音声等のデータを速やかに、かつ確実に出力させることができる書画カメラ装置を提供する。【解決手段】所定のデータ、およびこのデータに関連付けられたデータ固有情報をバーコードＢとしてパソコン１５の制御部１５ａに登録しておき、バーコードシート４０に付加させたバーコードＢをカメラ１３に読み取らせることにより、そのバーコードＢに応じた画像や音声等のデータを出力させる。【選択図】　　　　図１
2004048634.tif 000002
【特許請求の範囲】
【請求項１】
原稿台上に置かれた書画や物品等の資料を撮影するカメラを備え、該カメラで撮影された資料画像を投影手段によってスクリーン手段に投影するプレゼンテーションシステムの書画カメラ装置において、
所定のデータ、およびこのデータに関連付けられたデータ固有情報が登録される制御手段と、
この制御手段に登録されたデータを出力するデータ出力手段と、
前記データ固有情報を読み取る読取手段とを備え、
前記制御手段は、前記読取手段が読み取った前記データ固有情報に応じたプレゼンテーション用データを前記データ出力手段に供給することを特徴とする書画カメラ装置。
【請求項２】
前記データは画像であり、前記データ出力手段は前記投影手段であることを特徴とする請求項１に記載の書画カメラ装置。
【請求項３】
前記データは音声であって、前記出力手段は音声発生手段であることを特徴とする請求項１に記載の書画カメラ装置。
【請求項４】
音声である前記データを前記制御手段に入力する音声入力手段を備えていることを特徴とする請求項３に記載の書画カメラ装置。
【請求項５】
前記データ固有情報が画像のページ情報であることを特徴とする請求項１または２に記載の書画カメラ装置。
【請求項６】
前記データ固有情報を、バーコード、二次元バーコード、文字、記号等の視覚的に認識可能な情報形態で保持し、該データ固有情報を前記読取手段で読み取ることを特徴とする請求項１〜５のいずれかに記載の書画カメラ装置。
【請求項７】
前記読取手段が前記カメラであることを特徴とする請求項６に記載の書画カメラ装置。
【請求項８】
前記情報形態の位置を指示する発光手段を備え、この発光手段によって指示された情報形態から前記データ固有情報を認識することを特徴とする請求項６または７に記載の書画カメラ装置。
【請求項９】
前記データは前記資料に関連する関連画像であって、この関連画像に関連付けられた前記情報形態を資料に付加し、この資料を前記カメラで撮影した状態で情報形態の位置を前記発光手段で指示することにより、前記制御手段が資料画像の特定箇所に関連画像を合成することを特徴とする請求項８に記載の書画カメラ装置。
【請求項１０】
前記資料には前記関連画像の表示範囲を特定する枠線が表示され、前記制御手段はこの枠線を認識し、認識した枠線内に関連画像を合成することを特徴とする請求項９に記載の書画カメラ装置。
【請求項１１】
前記資料に付加した前記情報形態の近傍に、前記関連画像の表示範囲に関する付加情報が付加され、前記制御手段は該付加情報にしたがって関連画像を合成することを特徴とする請求項９に記載の書画カメラ装置。
【請求項１２】
前記資料に付加した前記情報形態の近傍に、前記関連画像に関連する音声データに関連付けられた別の情報形態が付加され、制御手段はこの別の情報形態を認識して関連画像の表示とともに音声データに基づく音声を出力させることを特徴とする請求項９〜１１のいずれかに記載の書画カメラ装置。
【請求項１３】
前記発光手段が発光する光は赤外光等の特定波長光を含む光であり、前記カメラにはその特定波長光のみを撮像可能とする光学フィルタが切換え可能に具備されていることを特徴とする請求項８〜１２のいずれかに記載の書画カメラ装置。
【請求項１４】
前記情報形態を付加した原稿を、前記読取手段が情報形態を読み取り可能とする定位置にセットするための位置決め手段を備えていることを特徴とする請求項６〜１３のいずれかに記載の書画カメラ装置。
【請求項１５】
前記データ固有情報を無線周波識別子に保持し、このデータ固有情報を電波信号で通信する機能を備えたことを特徴とする請求項１〜５のいずれかに記載の書画カメラ装置。
【請求項１６】
前記制御手段は、前記カメラにより撮像した画像およびこの画像に応じて設定したデータ固有情報を関連付けて自身に登録する機能を有していることを特徴とする請求項６または１５に記載の書画カメラ装置。
【発明の詳細な説明】
【０００１】
【発明の属する技術分野】
本発明は、原稿台上に置かれた書画や物品等の資料を撮影し、撮影した資料画像を投影手段によりスクリーン等のスクリーン手段に投影するプレゼンテーションシステムの書画カメラ装置に関する。
【０００２】
【従来の技術】
スクリーンに映した映像に対して、プレゼンターが指示棒あるいはレーザポインタ等によりポイントを指示しながら説明や講演等を行うプレゼンテーションにおいて、画像をスクリーンに映す手段の一つとして、書画カメラ装置が用いられている。書画カメラ装置は、原稿台上に置かれた書画や物品等の資料をビデオカメラ等の動画用のカメラで撮影する構成であり、カメラによって撮影された資料画像は、液晶プロジェクタ等の投影装置でスクリーンに投影されるように構成されている。ところで、近年では、パソコンで生成される画像をスクリーンに反映させてプレゼンテーションを行う機会が増えており、書画カメラ装置の中にも、パソコン等の外部映像機器の画像を出力可能なものがあることが知られている（例えば、特許文献１）。
【０００３】
また、書画カメラ装置のカメラで撮影して表示する資料には、１枚の原稿に例えば文章と画像とを混在させたものを用いる場合が多く、そのような資料は予め文章と画像をパソコンの画像編集ソフト等を用いて編集し、カラープリンタ等で印刷することにより作成している。
【０００４】
【特許文献１】
特開２０００−３４１５８８号公報　（第９頁：段落「００１７」、
図１、図７）
【０００５】
【発明が解決しようとする課題】
パソコンを用いたプレゼンテーションでは、スクリーンに映す画像に応じた画像データを検索するために、パソコンの操作、すなわちマウスやキーボードを操作しなければならず、その操作が煩わしかった。また、予め発表順に揃えて作成した画像データを、連続投影用ソフト等を用いて順番にスクリーンに映していくことができる方法もあるが、その場合、例えば講演終了後に聴衆から質問を受けて質問内容に該当するページまで戻す操作が、やはり煩わしく、時間がかかるものであった。さらに、パソコンのオペレータをプレゼンターとは別に配備した場合には、発表内容とスクリーンの表示内容が食い違うことが起こりやすかった。
【０００６】
また、上記のように文章と画像を混在させた資料を作成する場合には、パソコンでの編集とカラープリンタによる印刷といった過程を要することから準備に時間がかかるという不満が生じ、このような問題は、資料を作成し直す場合や画像を複数ページで使用する場合の資料作成時に顕著となる。また、プリンタが白黒タイプしかない場合にはカラーの資料を作成することができないことになる。プリンタによる資料作成においては、プリンタの性能が画質に影響したり、印刷後の画質が劣化するといった根本的な問題を抱えており、常に高品質の資料画像を表示することができないものであった。
【０００７】
よって本発明は、データを速やかに、かつ確実に出力させることができるとともに、例えば文章と画像とを混在させた資料を作成する際の準備を簡略化することができ、常に高品質の資料画像を表示させることができる書画カメラ装置を提供することを目的としている。
【０００８】
【課題を解決するための手段】
本発明は、原稿台上に置かれた書画や物品等の資料を撮影するカメラを備え、該カメラで撮影された資料画像を投影手段によってスクリーン手段に投影するプレゼンテーションシステムの書画カメラ装置において、所定のデータ、およびこのデータに関連付けられたデータ固有情報が登録される制御手段と、この制御手段に登録されたデータを出力するデータ出力手段と、データ固有情報を読み取る読取手段とを備え、制御手段が、読取手段が読み取ったデータ固有情報に応じたプレゼンテーション用データをデータ出力手段に供給することを特徴としている。
【０００９】
本発明によれば、データ固有情報を読取手段に読み取らせると、制御手段がデータ固有情報に応じたデータをデータ出力手段に供給し、データ出力手段からそのデータが出力される。すなわち、所望のデータを出力させる際には、単にデータ固有情報を読取手段に読み取らせるだけで、その所望のデータが自動的に出力される。したがって、データを速やかに、かつ確実に出力させることができる。
【００１０】
本発明におけるデータは、画像や音声が挙げられる。データが画像の場合、データ出力手段は上記投影手段を用いることができる。そして、データが画像である場合には、データ固有情報が画像データのページ情報であることを含む。また、データとしては音声も含まれ、データが音声の場合、出力手段はスピーカ等の音声発生手段となる。
【００１１】
本発明のデータ固有情報としては、無線周波識別子（ＲＦＩＤ：Ｒａｄｉｏ　Ｆｒｅｑｕｅｎｃｙ　Ｉｄｅｎｔｉｆｉｅｒ）等の電波信号を用いることができる。また、簡便なデータ固有情報として、バーコード、二次元バーコード、文字、記号等の視覚的に認識可能な情報形態を用いることができる。このような情報形態をデータ固有情報とした場合の読取手段は、バーコードの場合であればバーコードリーダーであり、他には、撮像手段が挙げられ、その撮像手段としては上記カメラを用いることができる。
【００１２】
また、本発明では、情報形態の位置を発光手段によって指示し、この発光手段で指示された情報形態を、撮像手段がデータ固有情報として認識するよう構成することができる。この構成は、データ固有情報を複数含む場合に１つのデータ固有情報を特定する手段として有効である。さらに、その発光手段が発光する光を赤外光等の特定波長光を含む光とし、撮像手段にはその特定波長光のみを撮像可能とする光学フィルタを撮像光路中に挿脱自在に具備した構成とすることができる。この構成では、該フィルタを光路内に挿入した状態で発光手段により情報形態の位置を指示すると、情報形態の位置をより確実に認識することができる。
【００１３】
上記のように発光手段によって指示した情報形態をデータ固有情報として認識させる場合、次の応用が可能である。すなわち、出力させるデータが資料に関連する関連画像であり、この関連画像に関連付けられた情報形態を資料に付加し、この資料をカメラで撮影した状態で情報形態の位置を発光手段で指示する。これによって制御手段は情報形態を認識し、その情報形態に応じた関連画像を資料画像の特定箇所に合成する。スクリーン手段には資料画像の特定箇所に関連画像がはめ込まれた画像が表示される。
【００１４】
この場合の具体例としては、資料には文章が印字されており、この文章に関連する関連画像として図面や写真等が挙げられ、この関連画像に関連付けられた情報形態を、文章が印字されている資料の所定箇所に付加して資料を作成する。この資料をカメラで撮影して情報形態の位置を発光手段で指示すると、文章が印字された資料の特定箇所に関連画像が合成され、文章と関連画像が混在した資料画像がスクリーン手段に表示される。
【００１５】
この形態によれば、文章と画像とが混在するような資料を、従来のようにパソコンの画像編集ソフト等を用いて編集してカラープリンタ等で印刷するといった方法を採ることなく作成することができ、資料を作成し直す場合には、例えば情報形態を交換するだけで可能である。したがって、資料作成のための準備に要する時間が大幅に短縮する。また、資料を直接撮影し、関連画像も画像処理によって表示されるので、常に高品質の画像を表示させることができる。
【００１６】
上記形態では、資料画像にはめ込む関連画像の表示範囲（表示サイズおよび表示位置）を任意に設定することができる。そのためには、資料に関連画像の表示範囲を特定する枠線を表示しておき、この枠線を制御手段が認識して枠線内に関連画像を合成したり、資料に付加する情報形態の近傍に関連画像の表示範囲に関する付加情報を付加し、制御手段が付加情報にしたがって関連画像を合成したりする手段が挙げられる。
【００１７】
また、上記形態においては、資料に付加した情報形態の近傍に関連画像に関連する音声データに関連付けられた別の情報形態が付加され、制御手段はこの別の情報形態を認識して関連画像の表示とともに音声データに基づく音声を出力させることもできる。
【００１８】
また、本発明では、情報形態を付加した原稿を、読取手段が情報形態を読み取り可能とする定位置にセットするための位置決め手段を備えている形態を含む。さらに本発明では、制御手段が、カメラにより撮像した画像およびこの画像に応じて設定したデータ固有情報を関連付けて自身に登録する機能を有している形態を含む。
【００１９】
【発明の実施の形態】
（１）第１実施形態
以下、図１〜図９を参照して本発明の第１実施形態を説明する。
図１は、第１実施形態の書画カメラ装置が適用されたシステムの全体を概略的に示すブロック図、図２はその具体的イメージを示している。これら図で符号１０が書画カメラ装置、２０は図示せぬスクリーン等に液晶画像を投影する液晶プロジェクタ（投影手段）である。
【００２０】
書画カメラ装置１０は、図２に示すように、原稿台１１と、この原稿台１１にアーム１２を介して支持されたカメラ１３とを備えている。カメラ１３は図示せぬズームレンズを備えるもので、原稿台１１にセットされた原稿や資料等の被写体を撮影し、撮影された資料画像の画像データは原稿台１１に内蔵された画像切換部１４に供給される（図１参照）。カメラ１３には、赤外光のみを撮像可能とする光学フィルタ１３ａ（以下、単にフィルタと略称する）が設けられている。このフィルタ１３ａは、カメラ１３の撮像光路中に挿脱自在に設けられており、撮像光路中に挿入した状態と外した状態のいずれかに、手動あるいは自動制御により切り換えられるようになっている。
【００２１】
また、本実施形態の書画カメラ装置１０は、外部に制御手段であるパソコン１５を備えている。このパソコン１５は、図１に示すように、制御部１５ａおよび記憶部１５ｂを有しており、記憶部１５ｂには、各種画像データおよび各種音声データが登録される。そして、記憶部１５ｂに登録されている画像データは制御部１５ａによって抽出され、画像切換部１４に供給される。書画カメラ装置１０側の画像とパソコン１５側の画像データとは、画像切換部１４で適宜に切り換えられ、選択されたいずれか一方の画像が、液晶プロジェクタ２０からスクリーン等に投影される。また、音声データはマイク１７からパソコン１５の制御部１５ａに入力され、ここでデータ処理されて記憶部１５ｂに登録される。記憶部１５ｂに登録された音声データは制御部１５ａによって抽出され、スピーカ１６に供給される。スピーカ１６およびマイク１７は、例えば原稿台１１に内蔵され、また、パソコン１５は書画カメラ装置１０の内部に収容されていてもよい。
【００２２】
さて、本システムでは、バーコードをカメラ１３が読み取ってデータ固有情報を取得し、そのデータ固有情報に応じたデータ（画像もしくは音声）を出力する。画像の出力は液晶プロジェクタ２０からの画像の投影であり、音声の出力はスピーカ１６からの音声の再生である。以下に、本システムによってプレゼンテーションを行うための操作手順を、データ登録と実際のプレゼンテーションに分けて説明する。
【００２３】
Ａ．データ登録
使用するデータ（画像や音声等）を用意し、これらデータとバーコードとを関連付けてパソコン１５の記憶部１５ｂに登録する。図３は登録用のバーコードシート４０を示しており、このバーコードシート４０には、異なる種類の複数のバーコードＢ１，Ｂ２，Ｂ３…が設けられている。これらバーコードは、バーコードシート４０に直接印字したり、バーコードが印字されたシールを貼るなどの方法で、バーコードシート４０に設けられる。
【００２４】
図５を参照して、バーコードシート４０を利用してデータを登録する手順を、データが画像の場合を例にして説明する。まず、バーコードシート４０を原稿台１１にセットしてこれをカメラ１３で撮影し（ステップＳ１０１）、その画像を保存する（ステップＳ１０２）。次に、カメラ１３のレンズにフィルタ１３ａをかけ（ステップＳ１０３）、図３に示すように、データと対応させるべき一つのバーコード（ここではバーコードＢ１としている）の位置をペンライト３０で発光指示する（ステップＳ１０４）。ペンライト３０は、先端を押圧することによってスイッチがＯＮとなって先端が発光するもので、発する光はこの場合赤外光である。
【００２５】
次に、カメラ１３がペンライト３０で指示した発光点を撮影し（ステップＳ１０５）、保存したバーコードシート４０の画像と照らし合わせて、図３に示すようにペンライト３０の光の位置（Ｘ，Ｙ）を計算する（ステップＳ１０６）。次いで、図４に示すように（Ｘ，Ｙ）を中心として指示したバーコードＢ１の領域［Ｘ０，Ｙ０］の画像データからバーコードＢ１をトリミングし（ステップＳ１０７）、Ｘ方向のコントラストからバーコードＢ１を英数字にコード変換する（ステップＳ１０８）。続いて、パソコン１５の制御部１５ａがバーコードＢ１に基づくデータ固有情報を認識する（ステップＳ１０９）。
【００２６】
次に、フィルタ１３ａを外し（ステップＳ１１０）、バーコードＢ１と関連付けするべき画像が印字された資料を原稿台１１にセットする（ステップＳ１１１）。そして、資料をカメラ１３で撮影し（ステップＳ１１２）、認識したバーコードＢ１のデータ固有情報と関連付けて資料の画像を記憶部１５ｂに登録する（ステップＳ１１３）。その際、バーコードの近傍に、プレゼンテーションで投影する順番と、データの内容をイメージさせる簡単なタイトルとを記しておくと、プレゼンテーション用の指示書として有効である。データが記憶部１５ｂに保管されたデジタルデータの場合は、カメラ１３で撮影せずに、認識したバーコードＢと関連付けるだけでよい。記憶部１５ｂにないデジタルデータの場合は、関連付けに先立って記憶部１５ｂに転送し、ここに保持させておいてから上記手順で関連付けする。
【００２７】
引き続き、上記ステップＳ１０４〜ステップＳ１１３を、バーコードシート４０に設けたバーコードに対して関連付けさせたいデータの数だけ繰り返し行う。なお、音声データを登録する場合には、図５のステップＳ１０９の後、音声データをマイク１７によって記憶部１５ｂに登録し、その音声データを認識させたバーコードと関連付けする。なお、バーコードシート４０にバーコードが１つだけ設けられている場合には、ペンライト３０でバーコードを指定する必要がないので、図５のステップＳ１０３〜ステップＳ１０８を省略することができる。
【００２８】
Ｂ．プレゼンテーション
次に、本システムによるプレゼンテーションの具体的動作を、図６を参照して説明する。原稿台１１に上記バーコードシート４０をセットし、バーコードシート４０をカメラ１３で撮影し（ステップＳ２０１）、その画像をパソコン１５の制御部１５ａに保存する（ステップＳ２０２）。次に、カメラ１３のレンズにフィルタ１３ａをかけ（ステップＳ２０３）、最初に出力するデータに対応するバーコード（ここではバーコードＢ１とする）をペンライト３０で発光指示する（ステップＳ２０４）。カメラ１３がペンライト３０で指示された発光点を撮影し（ステップＳ２０５）、保存したデータと照らし合わせて図３に示すようにペンライト３０の光の位置（Ｘ，Ｙ）を計算する（ステップＳ２０６）。図４に示すように（Ｘ，Ｙ）を中心としてバーコードＢ１が設けられた領域［Ｘ０，Ｙ０］の画像データからバーコードＢ１をトリミングし（ステップＳ２０７）、次いでＸ方向のコントラストからバーコードＢ１を英数字にコード変換し（ステップＳ２０８）、パソコン１５の制御部１５ａがバーコードＢ１に基づくデータ固有情報を認識する（ステップＳ２０９）。ここまでは、データ登録時の図５で示したステップＳ１０１〜ステップＳ１０９と同じ動作である。
【００２９】
続いて、パソコン１５の制御部１５ａがバーコードＢ１のデータ固有情報に関連付けられたデータを記憶部１５ｂから検索して抽出する（ステップＳ２１０）。そして、そのデータが画像である場合には画像切換部１４に供給されて液晶プロジェクタ２０から画像が投影され、データが音声データの場合は、その音声データがスピーカ１６に供給されて音声が再生される（ステップＳ２１１）。以上の動作を、出力すべきデータに応じたバーコードに対して実行することにより、それらバーコードに関連付けされたデータが順次出力される。
【００３０】
以上のように、上記実施形態では、バーコードシート４０に設けられたバーコードをカメラ１３に読み取らせるだけで、画像あるいは音声等の所望のデータを速やかに出力させることができ、したがって、パソコン１５のマウスやキーボードを操作して、それらデータを検索する必要がない。すなわち、煩わしいパソコンの操作をすることなく、所望のデータを速やかに、かつ確実に出力させることができる。
【００３１】
上記実施形態では、ペンライト３０で指定したバーコードに応じたデータを出力させるものであり、したがって、バーコードシート４０に設けるバーコードの位置には制限がない。一方、このようにペンライト３０でバーコードを指定することなく、バーコード４０の特定位置に１つのバーコードを設け、このバーコードを、カメラ１３で読み取るか、あるいは、図２に示すバーコードリーダー５０で読み取るようにしてもよい。その場合、図７に示すように、バーコードシート４０の一角を突き当てて位置決めをなすガイド６０を原稿台１１に設け、このガイド６０にバーコードシート４０を突き当てることにより、同図のＢで示すバーコードを読み取り可能な特定位置に配置するようにするとよい。なお、この場合の構成は、図８に示すように、ペンライト３０は除かれる。
【００３２】
次に、図９は、外部パソコン２５が連続投影用ソフト２５ｃを備えている場合を示している。この場合は、書画カメラ装置１０内のパソコン１５内のページ情報コード発生部１５ｃから連続投影用ソフト２５ｃに対して指示し得る有効なコマンドはページの送り／戻しだけ等のように制約される場合が多い。このため、本実施形態では、ページ情報コード発生部１５ｃは外部パソコン２５内の連続投影用ソフト２５ｃが有効に受信可能なページ送り指示を、送るページ数の分だけ繰り返して供給したり、ページ戻し指示を戻すページ数に対応する回数だけ繰り返して供給する機能を有する。
【００３３】
この構成では、例えば図７に示したように、バーコードＢを特定位置に配する方法によって、ページの送り／戻しを行うことができる。その動作例を図１０を参照して説明すると、まず、ステップＳ３０１で、ガイド６０に突き当てたバーコードシート４０に設けられたバーコードをカメラ１３で撮影する。次のステップＳ３０２でバーコードＢが設けられた領域にある画像データからバーコードＢを認識し、ステップＳ３０３でＸ方向のコントラストからバーコードＢを読み取る。次に、ステップＳ３０４でバーコードＢに基づくデータ固有情報を認識し、ステップＳ３０５でバーコードＢに応じたページ情報コードを連続投影用ソフト１５ｃに供給する。これによって、そのコードに応じた画像が液晶プロジェクタ２０から投影される。
【００３４】
以上の第１実施形態においては、例えば、データ固有情報を二次元バーコードから認識するようにし、一連の処理を定義した情報等からなるプログラム（例えば複数の画像を任意の順で出力するなどのプログラム）を実行するようにすることもできる。
【００３５】
また、データ固有情報はバーコード以外の情報からも取得することができ、例えばバーコードの代わりに文字や記号等でもよい。また、このようなデータ固有情報は、カード等に設けてもよい。さらに、データ固有情報としては、バーコード等のように視覚的に認識されるものではなく、ＲＦＩＤ等の電波信号を用いることができ、その場合には、原稿台に電波信号のセンサが設けられる。
【００３６】
（２）第２実施形態
次に、図１１〜２１を参照して本発明の第２実施形態を説明する。図１１は第２実施形態の書画カメラ装置が適用されたシステムの全体を概略的に示すブロック図、図１２はその具体的イメージを示している。これら図で上記第１実施形態と同一の構成要素には同一の符号を付してあり、それらの説明は省略する。
【００３７】
図１１に示すように、第２実施形態でも制御部１５ａおよび記憶部１５ｂを備えており、これらは、例えば原稿台１１内に搭載される。カメラ１３による撮影画像は制御部１５ａに取り込まれ、画像合成部７１、画像出力部７２を経て液晶プロジェクタ２０に入力される。記憶部１５ｂに登録される画像データや音声データは制御部１５ａによって抽出される。制御部１５ａによって記憶部１５ｂから画像データが抽出された場合、その画像データは画像合成部７１に入力されてカメラ１３による撮影画像と合成され、合成画像が画像出力部７２を経て液晶プロジェクタ２０に入力される。
【００３８】
音声データは、上記第１実施形態と同様に、マイク１７から制御部１５ａに入力され、ここでデータ処理されて記憶部１５ｂに登録される。制御部１５ａによって記憶部１５ｂから音声データが抽出された場合、その音声データはスピーカ１６に供給され、スピーカから音声データに基づく音声が出力される。
【００３９】
第２実施形態では、文章が印字された資料にバーコードを付加し、この資料をカメラが撮影すると制御部１５ａがバーコードを認識してデータ固有情報を取得し、そのデータ固有情報に応じた画像を資料画像の特定箇所に合成する。その合成画像は文章と画像とが混在したものとなり、画像出力部７２を経て液晶プロジェクタ２０に入力され、液晶プロジェクタ２０からスクリーン等に投影される。この場合、資料に合成される画像は例えば資料に印字された文章に関連する関連画像とされ、この関連画像は記憶部１５ｂに登録される。また、音声データも同様に関連するものとされ、バーコードを認識させることにより出力される。以下に、第２実施形態によってプレゼンテーションを行うための操作手順を、データ登録、資料の作成、実際のプレゼンテーションに分けて説明する。
【００４０】
Ａ．データ登録
データ登録に関しては、図５で示した第１実施形態と同様の動作によって記憶部１５ｂに画像データや音声データを登録する。
【００４１】
Ｂ．資料の作成
図１３（ａ）はカメラ１３に撮影させる資料８０を示している。この資料８０の上部には文章８１が印字されており、その下には矩形の枠線８２が印字されている。この資料８０を用いる場合には、枠線８１の内部に、印字された文章８１に関連する画像に関連付けて登録された関連画像用のバーコードＢ１０を付加する。関連画像用のバーコードＢ１０の付加の手段としては、該バーコードＢ１０が印字されたシールを資料８０に貼付するとよい。この関連画像用のバーコードＢ１０の下にはアンダーライン８３が表示されている。このアンダーライン８３は、予め枠線８２とともに印字するなどの方法で表示することができる。枠線８２は関連画像の表示範囲すなわち表示サイズおよび表示位置を示しており、任意に設定される。アンダーライン８３は、資料８０に枠線８２が存在することを制御部１５ａに告知する付加情報である。
【００４２】
上記枠線８２およびアンダーライン８３は、関連画像の表示範囲を制御部１５ａが認識するための一手段であり、図１３（ｂ）はその認識方法の過程を示している。この場合、制御部１５ａはカメラ１３が撮影した資料８０の撮影画像から関連画像用のバーコードＢ１０を認識してデータ固有情報を読み取り（ステップＳ４０１）、関連画像用のバーコードＢ１０の近傍の画素データを調べ（ステップＳ４０２）、該バーコードＢ１０の近傍にアンダーライン８３が有るか否かを判別する（ステップＳ４０３）。アンダーライン８３が有ると判別したら枠線８２を認識し（ステップＳ４０４）、アンダーライン８３がない場合は関連画像を全画面表示するよう制御する（ステップＳ４０５）。
【００４３】
枠線８２の認識方法としては、上記の他に、図１４（ａ）に示すようにアンダーライン８３の代わりとして関連画像用のバーコードＢ１０の隣りに枠線８２の存在を告知するための枠線用のバーコードＢ１１をシールの貼付によって付加する方法がある。シールにはバーコードＢ１１が枠線８２の告知のためのものであることを識別させる長方形のマークが付加されている。この場合は、図１４（ｂ）に示すように、制御部１５ａがカメラ１３による資料８０の撮影画像から関連画像用のバーコードＢ１０を認識してデータ固有情報を読み取り（ステップＳ５０１）、該バーコードＢ１０の近傍の画素データを調べ（ステップＳ５０２）、付加情報である枠線用のバーコードＢ１１が有るか否かを判別する（ステップＳ５０３）。枠線用のバーコードＢ１１が有ると判別したら枠線８２を認識し（ステップＳ５０４）、枠線用のバーコードＢ１１がない場合は関連画像を全画面表示するよう制御する（ステップＳ５０５）。
【００４４】
Ｃ．プレゼンテーション
次に、文章８１、この文章８１に関連する画像に関連付けられたバーコードＢ１０、枠線８２およびアンダーライン８３が表示された上記資料８０を用いてプレゼンテーションを行う動作を、図１５を参照して説明する。原稿台１１にセットした資料８０をカメラ１３で撮影し（ステップＳ６０１）、その画像を画像データとして制御部１５ａに保存する（ステップＳ６０２）。次に、カメラ１３のレンズにフィルタ１３ａをかけ（ステップＳ６０３）、バーコードＢ１０をペンライト３０で発光指示する（ステップＳ６０４）。カメラ１３がペンライト３０で指示された発光点を撮影し（ステップＳ６０５）、保存した画像データと照らし合わせて図３に示すようにペンライト３０の光の位置（Ｘ，Ｙ）を計算する（ステップＳ６０６）。図４に示すように（Ｘ，Ｙ）を中心としてバーコードＢ１０が設けられた領域［Ｘ０，Ｙ０］の画像データからバーコードＢ１０をトリミングし（ステップＳ６０７）、次いでＸ方向のコントラストからバーコードＢ１０を英数字にコード変換し（ステップＳ６０８）、制御部１５ａがバーコードＢ１０に基づくデータ固有情報を認識する（ステップＳ６０９）。
【００４５】
続いて制御部１５ａは保存した画像データからバーコードＢ１０の近傍の付加情報（アンダーライン８３あるいは枠線用のバーコードＢ１１）を検索し（ステップＳ６１０）、関連画像の表示範囲を求める（ステップＳ６１１）。このステップＳ６１１では、図１３（ｂ）または図１４（ｂ）で示した過程が行われる。次いで、ステップＳ６０９で認識したデータ固有情報に関連付けられた関連画像を記憶部１５ｂから検索して抽出し（ステップＳ６１２）、その関連画像をステップＳ６１１で求めた表示範囲に合成する（ステップＳ６１３）。合成画像は文章と関連画像が混在したものであり、この合成画像が画像出力部７２に供給されて液晶プロジェクタ２０からスクリーン等に投影される（ステップＳ６１４）。
【００４６】
以上により、文章８１と、この文章８１に関連する関連画像が混在した画像をスクリーン等に投影させることができる。図１６は資料および関連画像の具体例として携帯電話の製品紹介のプレゼンテーションに用いるものを示している。図１６（ａ）に示す資料８０には、携帯電話の製品説明の文章８１が印字されているとともに、関連画像用のバーコードＢ１０、枠線８２およびアンダーライン８３が付加されている。バーコードＢ１０は、図１６（ｂ）に示す携帯電話の画像９０に関連付けて登録されている。図１６（ａ）は上記ステップＳ６０４の状態、すなわち資料８０に付加されたバーコードＢ１０にペンライト３０で発光指示を行っている状態を示しており、この動作を行うことにより、図１６（ｂ）に示すように、関連画像である携帯電話の画像９０が枠線８２内にはめ込まれた合成画像がスクリーン等に表示されるのである。
【００４７】
なお、表示された関連画像を消して元の画面に戻す場合には様々な方法が考えられるが、例えば、再度バーコードＢ１０をペンライト３０で発光指示することにより元の画面に戻すといった制御方法が挙げられる。
【００４８】
図１６はバーコードＢ１０の下方に枠線８２の存在を告知するアンダーライン８３が付加された場合であり、アンダーライン８３がない場合には、図１３（ｂ）のステップＳ４０５のように関連画像を全画面表示する。図１７はその場合を示しており、図１７（ａ）に示すようにバーコードＢ１０をペンライト３０で発光指示すると、図１７（ｂ）に示すように関連画像である携帯電話の画像９０が全画面表示される。
【００４９】
なお、資料に関連する音声を再生したい場合には、その音声データに関連付けられたバーコードを枠線８２内に付加し、そのバーコードをペンライト３０で発光指示すると音声がスピーカ１６が再生される。例えば図１６で示した携帯電話のプレゼンテーションでは、着信音等を紹介することができる。
【００５０】
以上説明した第２実施形態によれば、従来のようにパソコンの画像編集ソフト等を用いて編集してカラープリンタ等で印刷するといった方法を採ることなく文章と画像とが混在するような資料を作成することができる。そして、資料を作成し直す場合には、例えばバーコードを新たなものに交換するだけで可能である。したがって、資料作成のための準備に要する時間が大幅に短縮する。また、資料を直接撮影し、関連画像も画像処理によって表示されるので、常に高品質の画像をスクリーン等に表示させることができる。
【００５１】
なお、図１３および図１４で示した関連画像の表示範囲を認識する方法は一例であり、枠線８２を用いない認識方法の他の例を、図１８および図１９を参照して説明する。
【００５２】
図１８（ａ）に示すように、資料８０のほぼ中央に付加した関連画像用のバーコードＢ１０の隣りに、該バーコードＢ１０のシールの中心を中心とした幅寸法および縦寸法を指定する付加情報として、表示寸法用のバーコードＢ１２，Ｂ１３をシールの貼付により付加する。それぞれのシールには幅寸法および縦寸法（単位はｍｍ）を示す数字が表示されており、図示例では幅寸法が１００ｍｍ、縦寸法が１５０ｍｍである。これら寸法は、関連画像用のバーコードＢ１０のシールの中心を中心とした幅寸法および縦寸法であり、関連画像を表示する範囲を示す。
【００５３】
表示範囲の認識の動作は、図１８（ｂ）に示すように、制御部１５ａがカメラ１３による資料８０の撮影画像から関連画像用のバーコードＢ１０を認識してデータ固有情報を読み取り（ステップＳ７０１）、バーコードＢ１０の近傍の画素データを調べ（ステップＳ７０２）、バーコードＢ１０の近傍に付加情報すなわち寸法表示用のバーコードＢ１２，Ｂ１３が有るか否かを判別する（ステップＳ７０３）。バーコードＢ１２，Ｂ１３が有ると判別したらこれらバーコードＢ１２，Ｂ１３により指定される表示範囲を認識し（ステップＳ７０４）、バーコードＢ１２，Ｂ１３がない場合は関連画像を全画面表示するよう制御する（ステップＳ７０５）。
【００５４】
図１９（ａ）に示すように、資料８０の上端部の左隅に関連画像用のバーコードＢ１０を付加し、この右隣りに、表示範囲を示す寸法表示用の４種のバーコードＢ１４〜Ｂ１７を付加情報としてシールの貼付により付加する。４種のバーコードは左から順にＢ１４：「表示範囲の幅寸法」、Ｂ１５：「表示範囲の縦寸法」、Ｂ１６：「表示範囲の資料左端から表示範囲中心までの寸法」、Ｂ１７：「表示範囲の資料上端から表示範囲中心までの寸法」を指定する付加情報である。各シールにはこれら寸法（単位はｍｍ）を示す数字が表示されており、図示例ではそれぞれ１００ｍｍ、１５０ｍｍ、１１０ｍｍ、１７０ｍｍである。
【００５５】
表示範囲の認識の動作は、図１８（ｂ）に示すように、制御部１５ａがカメラ１３による資料８０の撮影画像から関連画像用のバーコードＢ１０を認識してデータ固有情報を読み取り（ステップＳ８０１）、バーコードＢ１０の近傍の画素データを調べ（ステップＳ８０２）、バーコードＢ１０の近傍に付加情報すなわち寸法表示用のバーコードＢ１４〜Ｂ１７が有るか否かを判別する（ステップＳ８０３）。バーコードＢ１４〜Ｂ１７が有ると判別したらこれらバーコードＢ１４〜Ｂ１７により指定される表示範囲を認識し（ステップＳ８０４）、バーコードＢ１４〜Ｂ１７がない場合は関連画像を全画面表示するよう制御する（ステップＳ８０５）。
【００５６】
なお、上記のように関連画像の表示範囲の寸法を指定する場合には、カメラ１３のズーム倍率を考慮して表示画素寸法を適宜に決定することになる。
【００５７】
図２０および図２１は、上記第２実施形態をさらに応用することにより可能な関連画像の表示制御の例を示している。図２０では、（ａ）に示すように表示範囲に関連画像９０が表示された状態で資料の枠線外の部分をペンライト３０で発光指示すると、（ｂ）に示すようにペンライト３０の発光点を中心とする位置に関連画像９０が移動する。また、図２１では、（ａ）に示すように関連画像９０ははじめから上記枠線８２内に表示されており、ペンライト３０で関連画像９０を発光指示すると、（ｂ）に示すように関連画像９０が全画面に拡大表示される。
【００５８】
【発明の効果】
以上説明したように、本発明によれば、データ固有情報を読取手段に読み取らせることにより所望のデータを出力させることができるので、所望のデータを速やかに、かつ確実に出力させることができるといった効果を奏する。
【図面の簡単な説明】
【図１】本発明の第１実施形態に係る書画カメラ装置が適用されたシステムの概略図である。
【図２】第１実施形態のシステムの概略を示す斜視図である。
【図３】バーコードをデータ固有情報として登録させるためにバーコードシートのバーコードをペンライトで指示している状態を示す図である。
【図４】バーコードシートのバーコードの読み取り方法を説明する図である。
【図５】第１実施形態のデータ登録動作の例を示すフローチャートである。
【図６】第１実施形態のデータ出力動作の例を示すフローチャートである。
【図７】バーコードシートをガイドに突き当ててバーコードを特定位置に配した状態を示す図である。
【図８】バーコードを特定位置に配する場合のシステムの概略図である。
【図９】連続投影用ソフトおよびページ情報コード発生部を備えた場合のシステムの概略図である。
【図１０】ページ送り／戻し動作の例を示すフローチャートである。
【図１１】本発明の第２実施形態に係る書画カメラ装置が適用されたシステムの概略図である。
【図１２】第２実施形態のシステムの概略を示す斜視図である。
【図１３】関連画像の表示範囲を枠線を利用して認識させる方法の一例を示す図であって、（ａ）資料の図、（ｂ）動作のフローチャートである。
【図１４】関連画像の表示範囲を枠線を利用して認識させる方法の他の例を示す図であって、（ａ）資料の図、（ｂ）動作のフローチャートである。
【図１５】第２実施形態のデータ出力動作の例を示すフローチャートである。
【図１６】（ａ）は関連画像を資料画像に合成させる動作を資料に対して行っている状態を示す図、（ｂ）はスクリーン等に表示された合成画像を示す図である。
【図１７】（ａ）は関連画像を全画面表示させる場合の動作を資料に対して行っている状態を示す図、（ｂ）は拡大表示された関連画像を示す図である。
【図１８】関連画像の表示範囲を認識させる他の方法を示す図であって、（ａ）資料の図、（ｂ）動作のフローチャートである。
【図１９】関連画像の表示範囲を認識させるさらに他の方法を示す図であって、（ａ）資料の図、（ｂ）動作のフローチャートである。
【図２０】第２実施形態の応用例を示す図であって、（ａ）は資料画像と関連画像の合成画像ならびに資料に対してペンライトを指示している複合的な図、（ｂ）は関連画像が移動した後の合成画像である。
【図２１】第２実施形態の他の応用例を示す図であって、（ａ）は資料画像と関連画像の合成画像ならびに資料に対してペンライトを指示している複合的な図、（ｂ）は拡大表示された関連画像を示す図である。
【符号の説明】
１０…書画カメラ装置
１３…カメラ（撮像手段）
１５…パソコン（制御手段）
１５ａ…制御部（制御手段）
１６…スピーカ（データ出力手段）
２０…液晶プロジェクタ（投影手段、データ出力手段）
８０…資料
８２…枠線
９０…関連画像
Ｂ，Ｂ１，Ｂ２，Ｂ３，Ｂ１０…バーコード（データ固有情報）
Ｂ１１〜Ｂ１７…バーコード（付加情報）
【図１】
2004048634.tif 000003
【図２】
2004048634.tif 000004
【図３】
2004048634.tif 000005
【図４】
2004048634.tif 000006
【図５】
2004048634.tif 000007
【図６】
2004048634.tif 000008
【図７】
2004048634.tif 000009
【図８】
2004048634.tif 000010
【図９】
2004048634.tif 000011
【図１０】
2004048634.tif 000012
【図１１】
2004048634.tif 000013
【図１２】
2004048634.tif 000014
【図１３】
2004048634.tif 000015
【図１４】
2004048634.tif 000016
【図１５】
2004048634.tif 000017
【図１６】
2004048634.tif 000018
【図１７】
2004048634.tif 000019
【図１８】
2004048634.tif 000020
【図１９】
2004048634.tif 000021
【図２０】
2004048634.tif 000022
【図２１】
2004048634.tif 000023